(57)【要約】【課題】建物のプラン上の自由度を高くしながら、２つの上階床パネルに跨る吹き抜け開口を形成すること。【解決手段】開口部分３１Ｂと床残存部分３１Ｃが混在した一方の上階床パネル３１と、開口部分３１Ｂと床残存部分３１Ｃが混在した他方の上階床パネル３１が、一方の床パネル３１の開口部分３１Ｂと床残存部分３１Ｃの境界と、他方の床パネル３１の開口部分３１Ｂと床残存部分３１Ｃの境界を一直線上に配置するように並置され、上記境界に沿い、かつ２つ上階床パネル３１に跨る梁３３が架設され、上記梁３３に２つの上階床パネル３１の床残存部分３１Ｃの側縁が支持され、２つの上階床パネル３１の開口部分３１Ｂが互いに連続する吹き抜け開口１２とされてなるもの。【選択図】  図２
2004204561.tif 000002
【特許請求の範囲】
【請求項１】
少なくとも一部が開口部分とされた２つの上階床パネルが、それらの開口部分が隣り合うように並置され、
２つの上階床パネルに跨る床構造体が架設され、該床構造体を用いて２つの上階床パネルの開口部分の側傍の床を構成し、
２つの上階床パネルの上記床で覆われない開口部分が互いに連続する吹き抜け開口とされる建物の吹き抜け構造。
【請求項２】
開口部分と床残存部分が混在した一方の上階床パネルと、開口部分と床残存部分が混在した他方の上階床パネルが、一方の床パネルの開口部分と床残存部分の境界と、他方の床パネルの開口部分と床残存部分の境界を一直線上に配置するように並置され、
上記境界に沿い、かつ２つの上階床パネルに跨る梁が架設され、
上記梁に２つの上階床パネルの床残存部分の側縁が支持され、
２つの上階床パネルの開口部分が互いに連続する吹き抜け開口とされてなる建物の吹き抜け構造。
【請求項３】
前記上階床パネルが上階壁パネルと予め一体化されて建物ユニットを構成している請求項２に記載の建物の吹き抜け構造。
【請求項４】
請求項２又は３に記載の建物の吹き抜け構造の施工方法であって、
外周枠を全周に有し、この外周枠内に開口部分と床残存部分を混在した２つの上階床パネルを、各上階床パネルの開口部分と床残存部分の境界が一直線上に配置されるように、下階の上部に搭載し、
２つの上階床パネルの床残存部分の下部に支柱を立て、
２つの上階床パネルの外周枠であって、それらの開口部分に挟まれる外周枠を除去し、
２つの上階床パネルの前記境界に沿う梁の両端部を各上階床パネルの外周枠に固定し、該梁に各上階床パネルの床残存部分の側縁を支持し、
２つの上階床パネルの開口部分を互いに連続する吹き抜け開口とする建物の吹き抜け構造の施工方法。
【請求項５】
少なくとも一部が開口部分とされた２つの上階床パネルが、それらの開口部分が隣り合うように並置され、
２つの上階床パネルの開口部分に跨って、かつこの開口部分の全体でない一部を覆う小床パネルが架設され、
２つの上階床パネルの小床パネルで覆われない開口部分が互いに連続する吹き抜け開口とされてなる建物の吹き抜け構造。
【請求項６】
前記上階床パネルが上階壁パネルと予め一体化されて建物ユニットを構成している請求項５に記載の建物の吹き抜け構造。
【請求項７】
請求項５又は６に記載の建物の吹き抜け構造の施工方法であって、
外周枠を全周に有し、この外周枠内の少なくとも一部が開口部分とされた２つの上階床パネルを、それらの開口部分が隣り合うように、下階の上部に搭載し、
２つの上階床パネルの外周枠であって、それらの開口部分に挟まれる外周枠を除去し、
２つの上階床パネルの開口部分の全体でない一部を覆う小床パネルの両端部を各上階床パネルの外周枠に固定し、
２つの上階床パネルに設けた小床パネルで覆われない開口部分を互いに連続する吹き抜け開口とする建物の吹き抜け構造の施工方法。
【発明の詳細な説明】
【０００１】
【発明の属する技術分野】
本発明は建物の吹き抜け構造とその施工方法に関する。
【０００２】
【従来の技術】
特許文献１に記載の如く、２つの上階建物ユニットの床パネルの一部を開口部分とし、残部を床とし、それらの床パネルの開口部分を互いに連続させて吹き抜け開口を設けるに際し、吹き抜け開口の下方に位置する２つの下階建物ユニットに、上階建物ユニットの床を支持する耐力壁を設けるものがある。
【０００３】
【特許文献１】
特開２０００−１２０１７３（［００１５］、図３）
【０００４】
【発明が解決しようとする課題】
特許文献１では、２つの上階建物ユニットの床パネルに跨る吹き抜け開口を形成するために、上階建物ユニットの床を支持する耐力壁を下階建物ユニットに設ける必要があり、プラン上の制約になる。
【０００５】
本発明の課題は、建物のプラン上の自由度を高くしながら、２つの上階床パネルに跨る吹き抜け開口を形成することにある。
【０００６】
【課題を解決するための手段】
請求項１の発明は、少なくとも一部が開口部分とされた２つの上階床パネルが、それらの開口部分が隣り合うように並置され、２つの上階床パネルに跨る床構造体が架設され、該床構造体を用いて２つの上階床パネルの開口部分の側傍の床を構成し、２つの上階床パネルの上記床で覆われない開口部分が互いに連続する吹き抜け開口とされる建物の吹き抜け構造である。
【０００７】
請求項２の発明は、開口部分と床残存部分が混在した一方の上階床パネルと、開口部分と床残存部分が混在した他方の上階床パネルが、一方の床パネルの開口部分と床残存部分の境界と、他方の床パネルの開口部分と床残存部分の境界を一直線上に配置するように並置され、上記境界に沿い、かつ２つの上階床パネルに跨る梁が架設され、上記梁に２つの上階床パネルの床残存部分の側縁が支持され、２つの上階床パネルの開口部分が互いに連続する吹き抜け開口とされてなる建物の吹き抜け構造である。
【０００８】
請求項３の発明は、請求項２の発明において更に、前記上階床パネルが上階壁パネルと予め一体化されて建物ユニットを構成しているようにしたものである。
【０００９】
請求項４の発明は、請求項２又は３に記載の建物の吹き抜け構造の施工方法であって、外周枠を全周に有し、この外周枠内に開口部分と床残存部分を混在した２つの上階床パネルを、各上階床パネルの開口部分と床残存部分の境界が一直線上に配置されるように、下階の上部に搭載し、２つの上階床パネルの床残存部分の下部に支柱を立て、２つの上階床パネルの外周枠であって、それらの開口部分に挟まれる外周枠を除去し、２つの上階床パネルの前記境界に沿う梁の両端部を各上階床パネルの外周枠に固定し、該梁に各上階床パネルの床残存部分の側縁を支持し、２つの上階床パネルの開口部分を互いに連続する吹き抜け開口とするようにしたものである。
【００１０】
請求項５の発明は、少なくとも一部が開口部分とされた２つの上階床パネルが、それらの開口部分が隣り合うように並置され、２つの上階床パネルの開口部分に跨って、かつこの開口部分の全体でない一部を覆う小床パネルが架設され、２つの上階床パネルの小床パネルで覆われない開口部分が互いに連続する吹き抜け開口とされてなる建物の吹き抜け構造である。
【００１１】
請求項６の発明は、請求項５の発明において更に、前記上階床パネルが上階壁パネルと予め一体化されて建物ユニットを構成しているようにしたものである。
【００１２】
請求項７の発明は、請求項５又は６に記載の建物の吹き抜け構造の施工方法であって、外周枠を全周に有し、この外周枠内の少なくとも一部が開口部分とされた２つの上階床パネルを、それらの開口部分が隣り合うように、下階の上部に搭載し、２つの上階床パネルの外周枠であって、それらの開口部分に挟まれる外周枠を除去し、２つの上階床パネルの開口部分の全体でない一部を覆う小床パネルの両端部を各上階床パネルの外周枠に固定し、２つの上階床パネルに設けた小床パネルで覆われない開口部分を互いに連続する吹き抜け開口とするようにしたものである。
【００１３】
【作用】
請求項１、２の発明によれば下記▲１▼の作用がある。
▲１▼２つの上階床パネルに跨る吹き抜け開口を形成する２つの上階床パネルの開口部分の側傍の床を、２つの上階床パネルに跨る梁（床構造体）を用いて構成する。従って、上階床を支持する耐力壁等を下階に設ける必要がなく、建物のプラン上の自由度を高くすることができる。
【００１４】
請求項３の発明によれば下記▲２▼の作用がある。
▲２▼上階床パネルが上階壁パネルと予め一体化された建物ユニットを構成する。従って、ユニット建物において、上述▲１▼を実現できる。
【００１５】
請求項４の発明によれば下記▲３▼の作用がある。
▲３▼２つの上階床パネルの床残存部分の下部に支柱を立てることにより、外周枠を除去した後、梁を設置し、この梁に床残存部分の側縁を支持して床を形成するまでの間の床残存部分を支柱によって安定的に仮支持できる。
【００１６】
請求項１、５の発明によれば下記▲４▼の作用がある。
▲４▼２つの上階床パネルに跨る吹き抜け開口を形成する２つの上階床パネルの開口部分の側傍の床を、２つの上階床パネルに跨る小床パネル（床構造体）を用いて構成する。従って、上階床を支持する耐力壁等を下階に設ける必要がなく、建物のプラン上の自由度を高くすることができる。
【００１７】
請求項６の発明によれば下記▲５▼の作用がある。
▲５▼上階床パネルが上階壁パネルと予め一体化された建物ユニットを構成する。従って、ユニット建物において、上述▲４▼を実現できる。
【００１８】
請求項７の発明によれば下記▲６▼、▲７▼の作用がある。
▲６▼２つの上階床パネルの下部に支柱を立てる必要がなく、外周枠を除去するだけで、小床パネルを設置して床を形成できる。
【００１９】
▲７▼１枚物の小床パネルを２つの上階床パネルに跨らせるから、２つの上階床パネルの間、２つの上階建物ユニットの間に、床面段差を生じない。
【００２０】
【発明の実施の形態】
図１は建物のレイアウトを示し、（Ａ）は下階平面図、（Ｂ）は上階平面図、図２は第１実施形態の吹き抜け構造を示し、（Ａ）は施工中間状態を示す斜視図、（Ｂ）は施工完了状態を示す斜視図、図３は図２のIII部を示し、（Ａ）は斜視図、（Ｂ）は端面図、図４は第２実施形態の吹き抜け構造を示し、（Ａ）は施工中間状態を示す斜視図、（Ｂ）は施工完了状態を示す斜視図、図５は図４のV部を示し、（Ａ）は斜視図、（Ｂ）は端面図である。
【００２１】
（第１実施形態）（図１〜図３）
図１は、複数の下階建物ユニットの上に複数の上階建物ユニットを搭載して構築されたユニット建物１０である。
【００２２】
ユニット建物１０は、下階のダイニング１１を図２に示す如くの２個の下階建物ユニット２０、２０により構築し、このダイニング１１の上の吹き抜け開口１２と上階床１３を図２に示す如くの２個の上階建物ユニット３０、３０に跨るように構築している。
【００２３】
下階建物ユニット２０は、下階床パネル２１の外縁に下階壁パネル２２を立設して構築される。上階建物ユニット３０は、上階床パネル３１の外縁に上階壁パネル３２を立設して構築される。尚、図２（Ｂ）では上階建物ユニット３０の上階壁パネル３２を省略した。
【００２４】
本実施形態では、吹き抜け開口１２、上階床１３を構成するところの上階建物ユニット３０の上階床パネル３１が、外周枠３１Ａを全周に有し、この外周枠３１Ａ内に開口部分３１Ｂと床残存部分３１Ｃを混在させている。床残存部分３１Ｃは、相交差する３本の外周枠３１Ａ、３１Ａ、３１Ａと、それら３本の外周枠３１Ａのうちの相隣る２本の外周枠３１Ａに架け渡された根太３１Ｄと、根太３１Ｄとこれに相対する１本の外周枠３１Ａとの間に架け渡される複数本のつなぎ材３１Ｅとから構成される。
【００２５】
ユニット建物１０において、２個の上階建物ユニット３０、３０に跨る吹き抜け開口１２、上階床１３は以下の如くに構成される。
【００２６】
(1)２個の下階建物ユニット２０、２０の上に２個の上階建物ユニット３０、３０を搭載する。このとき、一方の上階建物ユニット３０の上階床パネル３１と他方の上階建物ユニット３０の上階床パネル３１を、一方の上階床パネル３１の開口部分３１Ｂと床残存部分３１Ｃの境界と、他方の上階床パネル３１の開口部分３１Ｂと床残存部分３１Ｃの境界が一直線上に配置されるように並置する（図２（Ａ））。
【００２７】
(2)２つの上階床パネル３１の床残存部分３１Ｃの下部に支柱４０を立てる（図２（Ａ））。
【００２８】
(3)２つの上階床パネル３１の外周枠３１Ａであって、それらの開口部分３１Ｂ、３１Ｂに挟まれる外周枠３１Ａを除去する（図２（Ａ））。外周枠３１Ａは、床残存部分３１Ｃを構成している一部を除いて切除される。
【００２９】
(4)２つの上階床パネル３１の前述(1)の境界に沿い、かつ２つの上階床パネル３１に跨る梁３３を架設する。梁３３の両端部が各上階床パネル３１の外周枠３１Ａに下記(5)の梁受金具３４を用いて固定される（図２（Ｂ））。
【００３０】
(5)梁３３は、２つの上階床パネル３１の床残存部分３１Ｃの側縁（床残存部分３１Ｃの根太３１Ｄ）を釘打ち等により支持する。上階床パネル３１の床残存部分３１Ｃの根太３１Ｄと梁３３は、図３に示す如く、互いに添設された状態で、それらの両端部を梁受金具３４により上階床パネル３１の外周枠３１Ａに支持される。梁受金具３４の取付板３４Ａが外周枠３１Ａに釘打ち固定され、根太３１Ｄと梁３３は梁受金具３４の上開き凹状受部３４Ｂに嵌め込まれ、凹状受部３４Ｂの両側板に釘打ち固定される。
(6)支柱４０を除去する。
【００３１】
以上により、２つの上階床パネル３１の開口部分３１Ｂを互いに連通する吹き抜け開口１２とする。また、梁３３によって支持される２つの上階床パネル３１の床残存部分３１Ｃが上階床１３を形成する。
【００３２】
本実施形態によれば以下の作用がある。
▲１▼２つの上階床パネル３１に跨る吹き抜け開口１２を形成する２つの上階床パネル３１の開口部分３１Ｂの側傍の床１３を、２つの上階床パネル３１に跨る梁３３（床構造体）を用いて構成する。従って、上階床１３を支持する耐力壁等を下階に設ける必要がなく、ユニット建物１０のプラン上の自由度を高くすることができる。
【００３３】
▲２▼上階床パネル３１が上階壁パネル３２と予め一体化された建物ユニット３０を構成する。従って、ユニット建物１０において、上述▲１▼を実現できる。
【００３４】
▲３▼２つの上階床パネル３１の床残存部分の下部に支柱４０を立てることにより、外周枠３１Ａを除去した後、梁３３を設置し、この梁３３に床残存部分の側縁を支持して床１３を形成するまでの間の床残存部分を支柱４０によって安定的に仮支持できる。
【００３５】
（第２実施形態）（図４、図５）
第２実施形態のユニット建物１０も、第１実施形態のユニット建物１０と同様に、下階の２つの建物ユニット２０、２０により構築されるダイニング１１の上に、上階の２つの建物ユニット３０、３０により構築される吹き抜け開口１２と上階床１３を有する。
【００３６】
本実施形態では、吹き抜け開口１２、上階床１３を構成するところの上階建物ユニット３０の上階床パネル３１が、外周枠３１Ａを全周に有し、この外周枠３１Ａ内の少なくとも一部、本実施形態では全部を開口部分３１Ｂにしている（図４（Ａ））。尚、図４（Ｂ）では上階建物ユニット３０の上階壁パネル３２を省略した。
【００３７】
第２実施形態のユニット建物１０において、２個の建物ユニット３０、３０に跨る吹き抜け開口１２、上階床１３は以下の如くに構築される。
【００３８】
(1)２個の下階建物ユニット２０、２０の上に２個の上階建物ユニット３０、３０を搭載する。このとき、２つの上階建物ユニット３０の上階床パネル３１を、それらの開口部分３１Ｂが隣り合うように並置する（図４（Ａ））。
【００３９】
(2)２つの上階床パネル３１の外周枠３１Ａであって、それらの開口部分３１Ｂ、３１Ｂに挟まれる外周枠３１Ａを除去する。
【００４０】
(3)２つの上階床パネル３１の開口部分３１Ｂに跨る小床パネル５０を架設する。小床パネル５０は２つの上階床パネル３１の開口部分３１Ｂの一部を覆う。小床パネル５０は、両側の床梁５１、５１の間に複数のつなぎ材５２を架け渡し、床面材５３を貼着される。小床パネル５０の床梁５１のうち、外周枠３１Ａの中間部に突き合わされる床梁５１の両端部は、図５に示す如く、各上階床パネル３１の外周枠３１Ａに梁受金具５４を用いて固定される。梁受金具５４の取付板５４Ａが外周枠３１Ａに釘打ち固定され、梁３３は梁受金具５４の上向き凹状受部５４Ｂに嵌め込まれ、凹状受部５４Ｂの両側板に釘打ち固定される。尚、小床パネル５０の床梁５１のうち、外周枠３１Ａの端部に突き合わされる床梁５１の両端部は各上階床パネル３１の外周枠３１Ａに釘打ち固定される。
【００４１】
以上により、２つ上階床パネル３１に設けた小床パネル５０に覆われない開口部分３１Ｂを互いに連続する吹き抜け開口１２とする。また、小床パネル５０が上階床１３を形成する。
【００４２】
本実施形態によれば以下の作用がある。
▲１▼２つの上階床パネル３１に跨る吹き抜け開口１２を形成する２つの上階床パネル３１の開口部分３１Ｂの側傍の床１３を、２つの上階床パネル３１に跨る小床パネル５０（床構造体）を用いて構成する。従って、上階床１３を支持する耐力壁等を下階に設ける必要がなく、ユニット建物１０のプラン上の自由度を高くすることができる。
【００４３】
▲２▼上階床パネル３１が上階壁パネル３２と予め一体化された建物ユニット３０を構成する。従って、ユニット建物１０において、上述▲１▼を実現できる。
【００４４】
▲３▼２つの上階床パネル３１の下部に支柱を立てる必要がなく、外周枠３１Ａを除去するだけで、小床パネル５０を設置して床１３を形成できる。
【００４５】
▲４▼１枚物の小床パネル５０を２つの上階床パネル３１に跨らせるから、２つの上階床パネル３１の間、２つの上階建物ユニット３０の間に、床面段差を生じない。
【００４６】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００４７】
【発明の効果】
本発明によれば、建物のプラン上の自由度を高くしながら、２つの上階床パネルに跨る吹き抜け開口を形成することができる。
【図面の簡単な説明】
【図１】図１は建物のレイアウトを示し、（Ａ）は下階平面図、（Ｂ）は上階平面図である。
【図２】図２は第１実施形態の吹き抜け構造を示し、（Ａ）は施工中間状態を示す斜視図、（Ｂ）は施工完了状態を示す斜視図である。
【図３】図３は図２のIII部を示し、（Ａ）は斜視図、（Ｂ）は端面図である。
【図４】図４は第２実施形態の吹き抜け構造を示し、（Ａ）は施工中間状態を示す斜視図、（Ｂ）は施工完了状態を示す斜視図
【図５】図５は図４のV部を示し、（Ａ）は斜視図、（Ｂ）は端面図である。
【符号の説明】
１０  ユニット建物
１２  吹き抜け開口
１３  上階床
３０  上階建物ユニット
３１  上階床パネル
３１Ａ  外周枠
３１Ｂ  開口部分
３１Ｃ  床残存部分
３２  上階壁パネル
３３  梁
４０  支柱
５０  小床パネル
【図１】
2004204561.tif 000003
【図２】
2004204561.tif 000004
【図３】
2004204561.tif 000005
【図４】
2004204561.tif 000006
【図５】
2004204561.tif 000007